(57)【要約】【課題】  周辺光が強い条件下での視覚特性が改良された液晶ディスプレイを提供する。【解決手段】  液晶ディスプレイ（ＬＣＤ）パネルは一対の透明基板と、これら透明基板の間に挟持された液晶材料と、前方液晶材料と前方透明基板との間に位置する透明電極とを備える。ＬＣＤは更に後方偏光アセンブリも備え、この後方偏光アセンブリは補償膜と、この補償膜の背面に取り付けられた偏光器と、前記補償膜の前面に取り付けられた屈折率の一致する第１感圧接着剤（ＰＳＡ）とを備える。ＰＳＡはＬＣＤパネルの背面に接着されている。ＬＣＤは更に前方偏光アセンブリも備え、この前方偏光アセンブリは前方偏光器と、この前方偏光器の背面に取り付けられた補償膜と、偏光器の前面に取り付けられた屈折率の一致するＰＳＡとを備える。【選択図】図１
0003125414.tif 000002
【実用新案登録請求の範囲】
【請求項１】
（ａ）液晶ディスプレイパネルと、
（ｂ）前記液晶ディスプレイパネルの前方に位置するタッチパネルと、
（ｃ）前記液晶ディスプレイパネルの後方に位置する後方偏光器と、
（ｄ）前記液晶ディスプレイパネルの前方に位置すると共に、前記タッチパネルの後方に位置する前方偏光器と、
（ｅ）前記前方偏光器の後方に位置すると共に、前記液晶ディスプレイパネルの前方に位置するインジウム錫酸化物層とを備えた液晶ディスプレイ。
【請求項２】
前記液晶ディスプレイパネルが第１透明基板と、第２透明基板と、前記第１透明基板と前記第２透明基板との間に位置する液晶材料と、前記液晶材料と前記第１透明基板との間に位置する第１透明電極と、前記液晶材料と前記第２透明基板との間に位置する第２透明電極とを備えた、請求項１に記載の液晶ディスプレイ。
【請求項３】
前記前方および後方偏光器が互いに直交している偏光軸を有する、請求項２に記載の液晶ディスプレイ。
【請求項４】
（ａ）液晶ディスプレイパネルと、
（ｂ）前記液晶ディスプレイパネルの前方に位置するタッチパネルと、
（ｃ）前記タッチパネルの前面に接着された、反射防止コーティングと、
（ｄ）前記液晶ディスプレイパネルの後方に位置する後方偏光器と、
（ｅ）前記反射防止コーティングの前方に位置する前方偏光器とを備えた、液晶ディスプレイ。
【請求項５】
前記液晶ディスプレイパネルが第１透明基板と、第２透明基板と、前記第１透明基板と前記第２透明基板との間に位置する液晶材料と、前記液晶材料と前記第１透明基板との間に位置する第１透明電極と、前記液晶材料と前記第２透明基板との間に位置する第２透明電極とを備えた、請求項４に記載の液晶ディスプレイ。
【請求項６】
前記前方および後方偏光器が互いに直交している偏光軸を有する、請求項５に記載の液晶ディスプレイ。
【請求項７】
前記液晶ディスプレイパネルがアクティブマトリックス液晶ディスプレイパネルである、請求項４に記載の液晶ディスプレイ。
【請求項８】
前記第２透明基板の後方に位置するバックライトをさらに備えた、請求項４に記載の液晶ディスプレイ。
【請求項９】
前記後方偏光器が直接前記液晶ディスプレイパネルに接着されている、請求項４に記載の液晶ディスプレイ。
【請求項１０】
前記前方偏光器と前記タッチパネルとの間に位置する反射防止コーティングをさらに備えた、請求項１に記載の液晶ディスプレイ。
【請求項１１】
前記液晶ディスプレイパネルがアクティブマトリックス液晶ディスプレイパネルである、請求項１に記載の液晶ディスプレイ。
【請求項１２】
前記第２透明基板の後方に位置するバックライトをさらに備えた、請求項１に記載の液晶ディスプレイ。
【請求項１３】
前記後方偏光器が直接前記液晶ディスプレイパネルに接着されている、請求項１に記載の液晶ディスプレイ。
【考案の詳細な説明】
【技術分野】
【０００１】
（考案の背景）
本考案は、一般的には液晶ディスプレイに関し、より詳細には、光学的視覚性能を高めた、改良された液晶ディスプレイに関する。
【背景技術】
【０００２】
まず１９７０年代に導入され、それ以来、腕時計、置き時計、電卓、ポータブルパソコン、ナビゲーション装置などで使用されている液晶ディスプレイは、電界中に生じる液晶の反射特性の変化を利用する、電子的にスイッチングされるディスプレイである。代表的な液晶ディスプレイは液晶ディスプレイパネル（液晶ディスプレイセルとも一般に称される）を備え、この液晶パネルは一対の透明基板の間に挟持された液晶の薄膜を含み、透明基板の各々の液晶側に透明導電性コーティングが一般に塗布されており、この透明コーティングは電極として機能する。この液晶ディスプレイパネルは一般に一対のガラスの（またはその他の透明な）カバープレートの間に設けられ、これらカバープレートはそれぞれのエッジの周辺が一体となるようにシールされている。これらカバープレートは一定の分離距離を維持するようにプレートの間に設けられたスペーサと共に組み立てることができる。カバープレートの間には軸の交差した２つの偏光器が設けられ、一方の偏光器は液晶ディスプレイパネルの前面に接着され、他方の偏光器は液晶ディスプレイパネルの背面に接着されている。電極の間に電圧が選択的に印加されると、これら電極の間の液晶分子は電極によって境界が定められた領域内で光が反射されたり、または吸収されたりし、キャラクタ（文字）またはグラフィックを形成するように、偏光状態が配列し直される（すなわち切り替えられる）。多くの液晶ディスプレイは夜間または暗所で見るためにバックライトを含み、多くの液晶ディスプレイは電磁妨害波のシールドとして使用するために前方偏光器と前方カバープレートとの間に設けられたインジウム錫酸化物または別の適当な材料の層を含む。低温環境下で使用するようになっている一部の液晶ディスプレイは後方の偏光器と後方のカバープレートとの間にインジウム錫酸化物または別の適当な材料の層も設けられている。この層は電源に電気的に接続され、加熱要素として使用するようになっている。
【考案の開示】
【考案が解決しようとする課題】
【０００３】
他のデジタルディスプレイと比較した場合、液晶ディスプレイの利点の一部は、電圧が比較的低く、電力条件も少ないことである。しかしながら、不幸なことに液晶ディスプレイの主な欠点の１つは、コントラストが低く、観察者が見る、後方で反射された周辺光によって生じるウォッシュアウト効果により、周辺光が強い条件下、例えば直接太陽光内にディスプレイが設置された時のように、ディスプレイを容易に読み取ることができなくなってしまうことである。
【０００４】
特に周辺光が強い条件下で見るときの、これまで液晶ディスプレイの視覚性能を改善するためにとられた１つの解決案は、前方カバープレートの前面に反射防止コーティングを塗布することであった。かかる解決案は観察者が見る、後方で反射された光の量を低減することにより、液晶ディスプレイの視覚特性をある程度改善できるが、更なる改良が大いに望まれている。
【０００５】
以下、液晶ディスプレイ技術の分野における数種類の特許について説明する。
【０００６】
１９９８年１０月６日に発行された、ヨシダを発明者とする米国特許第5,818,559号にはディスプレイの材料間で直線膨張係数が異なっている液晶ディスプレイが開示されている。より詳細に説明すれば、この液晶ディスプレイは接着層によって積層された液晶セルと偏光シートとを備え、前記液晶セルは一対の樹脂基板の間に挟持された液晶を含み、基板の少なくとも一方は透明電極を有し、前記偏光シートは一対の樹脂保護膜の間に挟持された偏光膜を備え、偏光シートに向いた基板の樹脂と液晶セルに向いた保護膜の樹脂との間の線状膨張係数の差は０.５×１０−５／℃未満となっている。
【０００７】
１９９６年６月４日に発行された、ブラッドフォード三世らを発明者とする米国特許第5,523,873号（ここで参照することにより本明細書に含める）には液晶層を挟持する第１および第２偏光器と、液晶層の両側に電圧を印加するための電極手段と、前記第１偏光器に（直接または他の態様で）隣接するように配置されたヒータとを備え、該ヒータが上部にほぼ平面状の屈曲回路バスバーを有する導電性層とを備え、このバスバーが導電性層に電力を送り、導電性層が液晶ディスプレイを加熱できるようになっている液晶ディスプレイが開示されている。
【０００８】
１９７５年３月４日に発行された、クボタを発明者とする米国特許第3,869,196号（ここで参照することにより本明細書に含める）には、液晶材料が閉じ込められたセルを形成するための偏光器およびアナライザの各々からの１つの表面を使用することにより、厚みおよび反射による光の損失を減少した液晶ディスプレイデバイスが開示されている。
【０００９】
他の関心ある特許として、１９９３年１月１２日に発行された、ヒラカタらを発明者とする米国特許第5,179,457号、１９９５年７月４日に発行された、スミスを発明者とする米国特許第5,430,607号、１９９６年１０月２９日に発行された、アビレーらを発明者とする米国特許第5,570,214号、１９９７年１月１４日に発行されたアビレーらを発明者とする米国特許第5,594,568号、１９９８年１月６日に発行された、アビレーらを発明者とする米国特許第5,706,068号および１９９８年４月１４日に発行された、シューらを発明者とする米国特許第5,739,881号が挙げられ、これらはいずれもここで参照することにより本明細書に含める。
【００１０】
（考案の概要）
本考案の目的は、新規な液晶ディスプレイを提供することにある。
【００１１】
本考案の別の目的は、現在の液晶ディスプレイに関連し、上記問題の少なくとも一部を改善した液晶ディスプレイを提供することにある。
【００１２】
本考案の更に別の目的は、新規な光学フィルタ装置を含む上記液晶ディスプレイを提供することにある。
【課題を解決するための手段】
【００１３】
本考案は液晶ディスプレイの観察者が見る、後方で反射される光の量を実質的に低減でき、よってこれまで液晶ディスプレイパネルの前面に接着されており、前方カバープレートに対して後方に位置していた従来の位置から、前記前方カバープレートの前方に位置し、好ましくはこの前方カバープレートの前方に位置する追加カバープレートの背面に接着される新しい位置へ前方偏光器を移すことによって、液晶ディスプレイの可視特性を実質的に改善できるという、革新的な発見に部分的に基づくものである。
【００１４】
本考案の特徴によれば、（ａ）液晶ディスプレイパネルと、
（ｂ）前記液晶ディスプレイパネルの前方に位置するタッチパネルと、
（ｃ）前記液晶ディスプレイパネルの後方に位置する後方偏光器と、
（ｄ）前記液晶ディスプレイパネルの前方に位置すると共に、前記タッチパネルの後方に位置する前方偏光器と、
（ｅ）前記前方偏光器の後方に位置すると共に、前記液晶ディスプレイパネルの前方に位置するインジウム錫酸化物層とを備えた液晶ディスプレイが提供される。
【００１５】
第１の好ましい実施例では、第１および第２透明プレートはガラスから製造され、液晶ディスプレイパネルはアクティブマトリックスの液晶ディスプレイパネルである。更に後方偏光器は非補償リニア偏光器であり、この偏光器の前面は屈折率の一致した感圧接着剤によりアクティブマトリックスの液晶ディスプレイパネルの背面に接着される。このディスプレイは更に加熱要素として働くようになっているインジウム錫酸化物の薄膜コーティングを備え、このコーティングは第２ガラスプレートの前面に塗布されている。この加熱要素の前面はシリコーンをベースとする屈折率の一致した光学接合材料により後方偏光器の背面に接着される。
【００１６】
前記液晶ディスプレイは電磁波妨害波（ＥＭＩ）シールドとして使用できるインジウム錫酸化物の薄膜コーティングを更に備え、前記コーティングは第１ガラスプレートの背面に塗布される。前記ＥＭＩがコーティングされたガラス基板の背面は上記シリコーンをベースとする屈折率の一致した光学接合材料によりアクティブマトリックスの液晶ディスプレイパネルの前面に接着される。
【００１７】
前方偏光器も非補償リニア偏光器であり、この偏光器の前方は屈折率の一致した感圧接着剤により第３ガラスプレートに接着され、背面は上記シリコーンをベースとする、屈折率の一致した光学接合材料の層により、第１ガラスプレートの前面に接着される。ディスプレイは第３ガラスプレートの前面に塗布された反射防止（ＡＲ）薄膜コーティングを更に含む。
【００１８】
ディスプレイにより、観察者の視野内に周辺光が反射するのを最小にするために、ディスプレイの種々の要素はできるだけ最小限異なるそれぞれの屈折率を有することが好ましい。
【００１９】
第２の好ましい実施例は、次の点で第１の好ましい実施例と異なっている。すなわち前方偏光器と、この前方偏光器を第１ガラスプレートに接合するのに使用される屈折率の一致した光学接合材料との間に第１補償膜が挟持され、後方偏光器とこの後方偏光器を液晶ディスプレイパネルに接着するのに使用される屈折率の一致した感圧接着剤との間に第２補償膜が挟持される点で異なっている。
【００２０】
第３の好ましい実施例は、次の部品を省略した点で第１の好ましい実施例と異なっている。すなわちＥＭＩシールドと、第１ガラスプレートと、前方偏光器を第１ガラスプレートに接合するのに使用される光学接合材料と、加熱要素と、第２ガラスプレートと、後方偏光器を加熱要素に接合するのに使用される光学接合材料とが省略されている。更に第３ガラスプレートはプラスチックプレートでもよい。
【００２１】
第４の好ましい実施例は、前方偏光器を液晶ディスプレイに接合するのに使用される光学接合材料が空気ギャップに置換されているとうい点で、第３の好ましい実施例と異なっている。
【００２２】
第５の好ましい実施例は、薄膜の前面に反射防止コーティングが塗布され、前記薄膜の背面が屈折率の一致する感圧接着剤によりプラスチックプレートの前面に接着されているという点で、第３の好ましい実施例と異なっている。
【００２３】
第６の好ましい実施例は、プラスチックプレートがタッチパネルに置換されているという点で、第３の好ましい実施例と異なっている。
【００２４】
これまで開示した実施例の組み合わせから更に別の実施例を考えつくことができる。
【００２５】
液晶ディスプレイの要素を説明するのに、または液晶ディスプレイの２つ以上の要素の相対的位置を示すのに、本明細書で使用される時の「前方」、「〜の前方に」、「前面」または同様な用語は、液晶ディスプレイの観察者側の方向を示すものであり、液晶ディスプレイの要素を説明するか、または液晶ディスプレイの２つ以上の要素の相対的位置を示すのに本明細書で使用される時の「後方」、「〜の後方に」、「背面」または同様な用語は、液晶ディスプレイの観察者と反対側の方向、一般にディスプレイのバックライト側の方向を意味するものである。
【００２６】
本考案の上記以外の目的、特徴、様相および利点は、一部が次の説明に記載されており、一部が次の説明から明らかとなるか、または本考案を実施することによって理解できよう。以下、当業者が考案を実施できるように十分に詳細に本考案の実施例について説明するが、その他の実施例も利用できること、および考案の範囲から逸脱することなく、構造またはその他の変更を行うことができると理解すべきである。従って、次の詳細な説明は限定的な意味に解すべきでなく、本考案の範囲は添付した実用新案登録請求の範囲に最良に定められている。
【００２７】
本明細書の一部とし、本考案の一部を構成する添付図面は、本考案の好ましい実施例を示し、詳細な説明と共に本考案の原理を説明するものである。図中、同様な参照番号は同様な部品を示す。
【考案を実施するための最良の形態】
【００２８】
（好ましい実施例の詳細な説明）
上で述べたように、本考案は周辺光が強い条件下で最も顕著に生じる、液晶ディスプレイにおける不良な視覚特性、すなわち「ウォッシュアウト」現象の問題に関するものである。特にこの問題は、液晶ディスプレイにより周辺光が反射され観察者に向かって戻ることによって生じるものであり、液晶ディスプレイが発生する画像を見にくくするものである。更に液晶ディスプレイが多くの場合、ディスプレイの前面カバープレートの背面に塗布されたインジウム錫酸化物コーティング状をしていることが多い電磁妨害波シールドを含むような状況下において、観察者の視界に周辺光が反射されるこの問題はより深刻となる。
【００２９】
次に、図１を参照すると、ここには本考案の要旨に従って構成された液晶ディスプレイの第１実施例の略断面図が示されており、この液晶ディスプレイは全体が番号１１で示されている。
【００３０】
特に軍用に適した（しかしながら軍用だけに限定されるものではない）液晶ディスプレイ１１は、第１ガラス基板１３と、第２ガラス基板１５と、液晶ディスプレイ（ＬＣＤ）パネル１７とを備え、ＬＣＤパネル１７はガラス基板１３と１５の間に挟持されている。実際には従来のものであり、従来の液晶ディスプレイの前方カバープレートおよび後方カバープレートに対応するガラス基板１３および１５は、一般に約１ｍｍ（約０.０４インチ）の厚みを有し、ホウ珪酸塩、ソーダ石灰または同等物から製造できる。好ましくはガラス基板１３および１５は液晶パネル１７の屈折率にほぼ一致する屈折率を有する。アクティブマトリックス液晶ディスプレイ（ＡＭＬＣＤ）パネルであることが好ましい（しかしながら必ずしもそうである必要はない）ＬＣＤパネル１７は、実際には従来のものでよい。
【００３１】
図２に示されるように、ＬＣＤパネル１７は一対の透明プレート１４−１と１４−２との間に挟持された液晶の層１２を一般に含む。これらプレート１４−１および１４−２の内側表面はそれぞれ透明電極１６−１および１６−２を形成するのに使用される透明な導電性コーティングでコーティングされている。
【００３２】
次に、再度図１を参照する。ディスプレイ１１は後方偏光器１９も含み、この後方偏光器１９は好ましくは液晶パネル１７の屈折率にほぼ一致する屈折率を有する。後方偏光器１９の前面は好ましくは従来の屈折率の一致した感圧性接着剤の層２１（この層２１は厚みが約０．０２５ｍｍ（約０.００１インチ）である）で、液晶パネル１７の背面に接着されている。この後方偏光器１９は、例えば従来の非補償リニア偏光器とすることができ、偏光器１９と層２１とが偏光アセンブリを形成するように偏光器のメーカによって偏光器１９に層２１を接着させてもよい。
【００３３】
更にディスプレイ１１は第２ガラス基板１５の前面に塗布された薄膜コーティング２３を含むことが好ましい。屈折率がガラス基板１５の屈折率にほぼ一致するコーティング２３は、電源に結合した時に低温周辺温度条件で使用される際にディスプレイ１１を加熱するための加熱要素として、このコーティング２３が働くように、インジウム錫酸化物または別の適当な材料から製造することが好ましい。このコーティング２３の前面は屈折率の一致した光学的結合材料の層２５により後方偏光器１９の背面に付着することが好ましい。例えば、屈折率の一致したシリコーンをベースとするか、またはエポキシをベースとする光学接合材料から製造できる層２５は、後方偏光器１９とコーティング２３との間の空気ギャップを解消できる。
【００３４】
ディスプレイ１１は更に電磁妨害波（ＥＭＩ）シールド２７を更に含むことが好ましい。第１ガラス基板１３の背面に塗布されたインジウム錫酸化物の薄膜コーティング状となっていることが好ましいこのＥＭＩシールド２７は、侵入してくる電磁放射線を吸収することによって、この電磁放射線からＬＣＤパネル１７をシールドする。このシールド２７の屈折率はＬＣＤパネル１７の屈折率にほぼ一致することが好ましく、このＥＭＩシールド２７の背面は上記屈折率の一致した光学接合材料の層２９により液晶パネル１７の前面に接着されていることが好ましい。
【００３５】
ディスプレイ１１は前方偏光器３１も含み、この前方偏光器３１は後方偏光器１９に類似するが、この後方偏光器に対して交差している。前方偏光器３１は第１ガラス基板１３の屈折率にほぼ一致する屈折率を有することが好ましく、前方偏光器３１の背面は上記屈折率の一致する光学接合材料の層３３により第１ガラス基板１３の前面に接着されていることが好ましい。
【００３６】
ディスプレイ１１は更に第３ガラス基板３５も備える。この第３ガラス基板はガラス基板１３および１５と組成が同じでよい。この第３ガラス基板３５は前方偏光器３１の屈折率とほぼ一致する屈折率を有することが好ましく、この第３ガラス基板３５の背面は上記屈折率の一致する感圧接着剤の層３７により、前方偏光器３１の前面に接合することが好ましい。（層３７は偏光アセンブリを形成するように偏光器のメーカによって偏光器３１に塗布してもよい。）第１ガラス基板１３、第２ガラス基板１５および第３ガラス基板３５の周辺の外側は、これらの間に挟持されたディスプレイ１１の要素を含むようにシールされることが好ましい。
【００３７】
ディスプレイ１１は更に第３ガラス基板３５の前面に（蒸着によることが好ましい）塗布された従来の反射防止薄膜コーティング３９を更に含む。一般に約１〜２ミクロンの厚みであるコーティング３９は、例えばフッ化マグネシウムおよび／または石英から製造できる。
【００３８】
ディスプレイ１１は更にバックライト４１を含み、このバックライトは性質が従来のものでよく、第２ガラス基板１５の後方に位置する。
【００３９】
ディスプレイ１１は従来どおりの態様で使用できる。その構造上、ディスプレイ１１は改良された光学的視覚性を呈する。
【００４０】
ディスプレイ１１の基板３５、１３および１５はガラスから製造されているが、基板３５、１３および１５の１つ以上をガラスでない透明材料、例えばポリカーボネートまたは同様なプラスチックに置換できると理解すべきである。しかしながら、このような置換はディスプレイをほとんどの軍用に適さないものにする可能性が高いが、ほとんどの業務用に適さないものにはしない。
【００４１】
次に図３を参照すると、ここには本考案の要旨に従って製造された液晶ディスプレイの第２実施例の略断面図が示されており、前記液晶ディスプレイは全体が番号５１によって示されている。
【００４２】
特に軍用にも適している（しかしながらこれだけに限定されるものではない）ディスプレイ５１は、多くの点でディスプレイ１１に類似しており、これらディスプレイの間の差異は、ディスプレイ５１ではディスプレイ１１の前方偏光器３１と接着層３７との組み合わせが偏光アセンブリ７１に置換されており、ディスプレイ１１の偏光器１９と接着層２１との組み合わせが偏光アセンブリ８１に置換されていることである。
【００４３】
次に図４を参照すると、ここには偏光アセンブリ７１が更に詳細に示されている。この偏光アセンブリ７１は中性濃度の偏光器７３を含み、この偏光器７３は性質が従来のものでよい。偏光器７３の片側には性質が従来のものにできる屈折率の一致した感圧接着剤７５が塗布されており、偏光器７３の反対側には性質が従来のものでよい広い視野角の膜７７（補償膜とも知られる）が貼付されている。
【００４４】
ディスプレイ５１では膜７７が材料３３に接着された状態で基板３５に接着剤７５が接触している。
【００４５】
次に図５を参照すると、ここには偏光アセンブリ８１が更に詳細に示されている。実際には従来のものであるアセンブリ８１は広視野角膜８３を備える。この膜８３は膜７７と同じものでよい。膜８３の片側には接着剤７５と同じでよい屈折率の一致した感圧接着剤８５が塗布されており、膜８３の反対側には中性濃度の偏光器８７が貼付されている。この偏光器８７は偏光器７３と同一でよいが、偏光器７３に対して交差している。
【００４６】
ディスプレイ５１において、アセンブリ８１の接着剤８５は光学接合材料２５に偏光器８７が付着された状態でパネル１７に接触状態にされている。
【００４７】
偏光器３１および１９（およびそれらに関連する感圧接着剤３７および２１）をアセンブリ７１および８１にそれぞれ置換した１つの利点は、膜７７および８３がパネル１７内の液晶材料の副屈折効果を防止するように働き、よって広い角度でのディスプレイの可視特性を改善することである。
【００４８】
次に図６を参照すると、ここには本考案の要旨に従って製造された液晶ディスプレイの第３実施例の略断面図が示されており、この液晶ディスプレイは全体が番号１０１で示されている。
【００４９】
特に非軍用、すなわち業務用（例えば携帯電話のスクリーン、ラップトップパソコンのモニタ）に適したディスプレイ１０１は、液晶ディスプレイ（ＬＣＤ）パネル１０５を備える。このＬＣＤパネル１０５はディスプレイ１１のＬＣＤパネル１７と同じものである。
【００５０】
ディスプレイ１０１は後方偏光器１０９も備える。この後方偏光器１０９の前面は屈折率の一致した感圧接着剤１１１によりＬＣＤパネル１０５の背面に接着されている。偏光器１０９および接着剤１１１はデバイス１１の偏光器１９および接着剤２１とそれぞれ同一でよく、偏光アセンブリとして一体に製造してもよい。
【００５１】
ディスプレイ１０１は更に前方偏光器１１５も備え、この前方偏光器１１５は後方偏光器１０５に対して交差している。ＬＣＤパネル１０５の前面には屈折率の一致した光学接合剤１１９により前方偏光器１１５の背面が接着されており、前方偏光器１１５の前面には屈折率の一致した感圧接着剤１２１が塗布されている。偏光器１１５および接着剤１２１はデバイス１１の偏光器３１および接着剤３７とそれぞれ同じでよく、偏光アセンブリとして一体に製造してもよい。
【００５２】
ディスプレイ１０１は透明カバー１２５を更に備え、このカバー１２５は前方偏光器１１５の屈折率にほぼ一致する屈折率を有することが好ましい。このカバー１２５の背面は接着剤１２１により偏光器１１５の前方に接着されることが好ましい。カバー１２５はポリカーボネートのような適当なプラスチックで製造することが好ましいが、ガラスからも製造できる（ガラスは多くの業務用にはあまり適していないことが理解できよう）。
【００５３】
ディスプレイ１０１はカバー１２５の前面に張り付けられた従来の反射防止薄膜コーティング１３１を更に含むことが好ましい。このコーティング１３１はデバイス１１のコーティング３９と同じでよい。
【００５４】
カバー１２５がプラスチック製である場合、コーティング１３１を省略し、その代わりにカバー１２５を粗面とし、ぎらつきを防止してもよい。
【００５５】
ディスプレイ１０１は偏光器１０９の後方に設けられたバックライト１４１を更に含むことが好ましく、このバックライト１４１は性質上、従来のものでよい。
【００５６】
容易に理解できるように、ディスプレイ１０１の偏光器１１５および接着剤１２１はアセンブリ７１と置換してもよく、ディスプレイ１０１の偏光器１０９および接着剤１１１もアセンブリ８１と置換してもよい。
【００５７】
容易に理解できるように、ディスプレイ１０１はＥＭＩシールド２７および／または加熱要素２３を含むことができるが、ほとんどの業務用ではかかる部品は不要である。
【００５８】
次に図７を参照すると、ここには本考案の要旨に従って製造された液晶ディスプレイの第４実施例の略断面図が示されており、この液晶ディスプレイは全体が番号２０１で示されている。
【００５９】
ディスプレイ２０１はディスプレイ１０１とほぼ同一であり、これら２つのディスプレイの主な差異は、ディスプレイ２０１はカバー１２５の前面に反射防止（ＡＲ）コーティングを直接塗布する代わりに、前面に反射防止コーティング２０５が塗布され、背面に屈折率の一致する感圧接着剤２０７が塗布された透明薄膜２０３を含むことである。この接着剤２０７はカバー１２５の前面に直接接触している。
【００６０】
容易に理解できるように、ディスプレイ２０１の偏光器１１５および接着剤１２１はアセンブリ７１と置換でき、ディスプレイ２０１の偏光器１０９および接着剤１１１もアセンブリ８１と置換できる。
【００６１】
ディスプレイ１１および５１はコーティング１３１を膜２０３とコーティング２０５と接着剤２０７との組み合わせに置換することによっても変形できることが容易に理解できよう。
【００６２】
次に図８を参照すると、ここには本考案の要旨に従って製造された液晶ディスプレイの第５実施例の略断面図が示されており、この液晶ディスプレイは全体が番号３０１で示されている。
【００６３】
ディスプレイ３０１は多くの点でディスプレイ１０１と類似しているが、これら２つのディスプレイの間の主な差異は、ディスプレイ３０１が偏光器１１５とＬＣＤパネル１０５との間に光学接合材料を含んでいないことであり、その代わりに、ディスプレイ３０１では偏光器１１５とパネル１０５とが空気ギャップ３０３によって離間されている点にある。
【００６４】
容易に理解できるように、ディスプレイ３０１の偏光器１１５および接着剤１２１はアセンブリ７１と置換でき、ディスプレイ３０１の偏光器１０９および接着剤１１１もアセンブリ８１と置換できる。
【００６５】
次に図９を参照すると、ここには本考案の要旨に従って製造された液晶ディスプレイの第６実施例の略断面図が示されており、この液晶ディスプレイの全体は番号４０１で示されている。
【００６６】
ディスプレイ４０１は多くの点でディスプレイ１０１に類似するが、これら２つのディスプレイの間の主な差異はディスプレイ４０１においてカバー１２５とコーティング１３１とがタッチパネル４０３に置換されていることである。このタッチパネル４０３は実際には従来のものでよいが、例えばＰＡＬＭ  ＰＩＬＯＴ（登録商標）パーソナルオーガナイザまたは同等品に設けられているタイプのタッチパネルでよい。
【００６７】
容易に理解できるように、ディスプレイ４０１の偏光器１１５および接着剤１２１はアセンブリ７１と置換でき、ディスプレイ４０１の偏光器１０９および接着剤１１１もアセンブリ８１と置換できる。
【００６８】
タッチパネル４０３が（ディスプレイ２０１のように）屈折率が一致する感圧接着剤によりＡＲコーティングされた薄膜を接着できる前面を有するタイプのものである場合、ディスプレイ４０１はタッチパネル４０３の前面に接着されたかかるＡＲコーティングされた膜アセンブリを更に含むことが好ましい。更に、かかるＡＲコーティングされた膜アセンブリがタッチパネル４０３の前面に接着されている場合、偏光器１１５もタッチパネル４０３の後方位置から前記ＡＲコーティングされた膜アセンブリの前方の位置に移動してもよい。
【００６９】
ディスプレイ３０１はカバー１２５およびコーティング１３１をタッチパネル４０３に類似したタッチパネルに置換したディスプレイ４０１用の上記ディスプレイと同じように変形できることも容易に理解できよう。
【００７０】
本明細書に説明した本考案の実施例は単なる例示のためのものであり、当業者であれば本考案の要旨から逸脱することなく、説明した実施例に対して種々の変形および変更を行うことができよう。かかるすべての変形および変更は添付した実用新案登録請求の範囲に記載した本考案の範囲内で行うことができる。
【図面の簡単な説明】
【００７１】
【図１】本考案の要旨に従って製造された液晶ディスプレイの第１実施例の略断面図である。
【図２】図１の液晶ディスプレイの液晶ディスプレイパネルの略断面図である。
【図３】本考案の要旨に従って製造された液晶ディスプレイの第２実施例の略断面図である。
【図４】図３の液晶ディスプレイにおける偏光アセンブリのうちの１つの略断面図であり、この偏光アセンブリは本考案の要旨に従って製造されている。
【図５】図３の液晶ディスプレイにおける偏光アセンブリのうちの他方の略断面図であり、この偏光アセンブリは従来の偏光アセンブリである。
【図６】本考案の要旨に従って製造された液晶ディスプレイの第３実施例の略断面図である。
【図７】本考案の要旨に従って製造された液晶ディスプレイの第４実施例の略断面図である。
【図８】本考案の要旨に従って製造された液晶ディスプレイの第５実施例の略断面図である。
【図９】本考案の要旨に従って製造された液晶ディスプレイの第６実施例の略断面図である。
【図１】
0003125414.tif 000003
【図２】
0003125414.tif 000004
【図３】
0003125414.tif 000005
【図４】
0003125414.tif 000006
【図５】
0003125414.tif 000007
【図６】
0003125414.tif 000008
【図７】
0003125414.tif 000009
【図８】
0003125414.tif 000010
【図９】
0003125414.tif 000011